(57)【要約】【課題】車間距離を考慮に入れて制御を行うことにより、エンジンのオーバーヒートを適切に防止することが可能なエンジンの冷却装置を提供する。【解決手段】エンジンの冷却装置は、冷却水を循環させてエンジンの冷却を行うために好適に利用される。具体的には、エンジンの冷却装置は、自車両と前方車両との車間距離を取得し、車間距離が所定距離以下である場合に、ラジエータ放熱量を増加させるための制御を実行する。この場合、電動Ｗ／Ｐに対する制御、電動ファンを作動させる制御、車間距離を調整する制御、及びドライバーに対して情報を提供する制御のうちの少なくとも１つ以上の制御を行う。これにより、ラジエータに供給される走行風が減少したことにより発生し得るエンジンのオーバーヒートを、事前に防止することができる。【選択図】図２
2008196305.tif 000002
【特許請求の範囲】
【請求項１】
冷却水を循環させてエンジンの冷却を行うエンジンの冷却装置であって、
自車両と前記自車両の前方を走行する車両との車間距離を取得する車間距離取得手段と、
前記車間距離が所定距離以下である場合に、前記冷却水の流量が増加するように、当該冷却水の循環を行う電動ウォーターポンプに対する制御を行う電動ウォーターポンプ制御手段と、を備えることを特徴とするエンジンの冷却装置。
【請求項２】
前記冷却水の温度が所定温度以上である場合、又は前記冷却水の温度が上昇している場合に、前記車間距離が長くなるように車両に対して制御を行う車間距離制御手段を備えることを特徴とする請求項１に記載のエンジンの冷却装置。
【請求項３】
前記車間距離制御手段は、クルーズコントロールにおいて設定された車間距離を長くすることを特徴とする請求項２に記載のエンジンの冷却装置。
【請求項４】
前記車間距離が所定距離以下である場合に、ラジエータに設けられた電動ファンを作動させる電動ファン制御手段を備えることを特徴とする請求項１乃至３のいずれか一項に記載のエンジンの冷却装置。
【請求項５】
前記冷却水の温度が所定温度以上である場合、又は前記冷却水の温度が上昇している場合に、ドライバーに対して、前記車間距離を開けさせるための情報を提供する情報提供手段を備えることを特徴とする請求項１乃至４のいずれか一項に記載のエンジンの冷却装置。
【発明の詳細な説明】
【技術分野】
【０００１】
本発明は、冷却水を循環させてエンジンの冷却を行うエンジンの冷却装置に関する。
【背景技術】
【０００２】
従来から、冷却水を循環させてエンジンを冷却する技術が提案されている。例えば、特許文献１には、車速及び外気温度等から要求のラジエータ流量を算出して流量制御弁を制御する技術が記載されている。
【０００３】
【特許文献１】特開２００６−１１２３３０号公報
【発明の開示】
【発明が解決しようとする課題】
【０００４】
しかしながら、上記した特許文献１に記載された技術では、要求のラジエータ流量を算出する際に、車間距離を考慮に入れていなかった。そのため、車間距離が短い場合などにおいて、効果的にエンジンを冷却することができない可能性があった。
【０００５】
本発明は、上記のような課題を解決するためになされたものであり、車間距離を考慮に入れて制御を行うことにより、エンジンのオーバーヒートを適切に防止することが可能なエンジンの冷却装置を提供することを目的とする。
【課題を解決するための手段】
【０００６】
本発明の１つの観点では、冷却水を循環させてエンジンの冷却を行うエンジンの冷却装置は、自車両と前記自車両の前方を走行する車両との車間距離を取得する車間距離取得手段と、前記車間距離が所定距離以下である場合に、前記冷却水の流量が増加するように、当該冷却水の循環を行う電動ウォーターポンプに対する制御を行う電動ウォーターポンプ制御手段と、を備える。
【０００７】
上記のエンジンの冷却装置は、冷却水を循環させてエンジンの冷却を行うために好適に利用される。エンジンの冷却装置は、自車両と前方車両との車間距離を取得し、車間距離が所定距離以下である場合に、冷却水の流量が増加するように電動ウォーターポンプに対する制御を行う。この場合、車間距離が短くなったことによりラジエータに供給される走行風が減少するが、このように電動ウォーターポンプを駆動することにより、ラジエータなどにおいて冷却水を放熱させる量（以下、「ラジエータ放熱量」とも呼ぶ。）を増加させることができる。よって、上記のエンジンの冷却装置によれば、ラジエータに供給される走行風が減少したことにより発生し得るエンジンのオーバーヒートを、事前に防止することができる。
【０００８】
上記のエンジンの冷却装置の一態様では、前記冷却水の温度が所定温度以上である場合、又は前記冷却水の温度が上昇している場合に、前記車間距離が長くなるように車両に対して制御を行う車間距離制御手段を備える。
【０００９】
この態様によれば、車間距離を長くすることができ、ラジエータへの走行風量を確保することが可能となる。したがって、ラジエータ放熱量を増加させることができる。また、上記のエンジンの冷却装置によれば、冷却水の流量を増加させることなく、エンジンのオーバーヒートを抑制することできると共に、電動ウォーターポンプのポンプ駆動力の負担を低減することができる。
【００１０】
上記のエンジンの冷却装置において好適には、前記車間距離制御手段は、クルーズコントロールにおいて設定された車間距離を長くする。
【００１１】
上記のエンジンの冷却装置の他の一態様では、前記車間距離が所定距離以下である場合に、ラジエータに設けられた電動ファンを作動させる電動ファン制御手段を備える。これによっても、ラジエータ放熱量を適切に増加させることができる。
【００１２】
上記のエンジンの冷却装置の他の一態様では、前記冷却水の温度が所定温度以上である場合、又は前記冷却水の温度が上昇している場合に、ドライバーに対して、前記車間距離を開けさせるための情報を提供する情報提供手段を備える。これにより、ドライバーによって車間距離が開けられるので、ラジエータへの走行風量を確保することが可能となる。
【発明を実施するための最良の形態】
【００１３】
以下、図面を参照して本発明の好適な実施の形態について説明する。
【００１４】
［冷却系システムの構成］
図１は、本発明の実施形態に係るエンジンの冷却装置が適用された冷却系システム１００の概略構成を示す図である。なお、図１においては、実線矢印が冷却水の流れを示し、破線矢印が信号の入出力を示している。また、太線で表した実線は、冷却水が流れる通路（冷却水通路）を示している。
【００１５】
冷却系システム１００は、主に、エンジン（内燃機関）１と、ラジエータ３と、サーモスタット４と、電動ウォーターポンプ（以下、「電動Ｗ／Ｐ」と呼ぶ。）５と、水温センサ６と、冷却水通路７ａ、７ｂ、７ｃと、電動ファン９と、車間センサ１１と、ＥＣＵ（Engine Control Unit）５０と、を備える。
【００１６】
本実施形態に係る冷却系システム１００は、車両（例えば、ハイブリッド車両など）に搭載され、冷却水を用いてエンジン１の冷却を行うために利用される。この場合、冷却系システム１００は、冷却水を冷却水通路７ａ、７ｂ、７ｃ内で循環させる。なお、以下では、冷却水通路７ａ〜７ｃを区別しない場合には、単に「冷却水通路７」として用いるものとする。
【００１７】
エンジン１は、供給される燃料と空気との混合気を燃焼させることによって、車両における動力を発生する装置である。エンジン１は、ガソリンエンジンやディーゼルエンジンなどによって構成される。エンジン１は、ＥＣＵ５０から供給される制御信号Ｓ１によって制御される。例えば、エンジン１は、ＥＣＵ５０によって、燃料噴射量や空燃比などが制御される。
【００１８】
冷却水通路７ａ上には、冷却水の温度（以下、「冷却水温度」とも呼ぶ。）を検出する水温センサ６が設けられている。水温センサ６は、例えばエンジン１の下流側の冷却水通路７ａ上に設けられる。水温センサ６は、検出した温度に対応する検出信号Ｓ６をＥＣＵ５０に供給する。
【００１９】
ラジエータ３は、外気（走行風など）によって、内部を流通する冷却水を冷却する装置である。この場合、ラジエータ３において冷却水が放熱（廃熱）することによって、冷却水温度が低下される。電動ファン９は、作動することによってラジエータ３に対して風を供給する装置である。これにより、ラジエータ３内のエンジン冷却水の冷却が促進される。なお、電動ファン９は、ＥＣＵ５０から供給される制御信号Ｓ９によって作動が制御される。
【００２０】
また、電動Ｗ／Ｐ５は、電動式のモータを備えて構成され、このモータの駆動により冷却水を冷却水通路７内で循環させる。具体的には、電動Ｗ／Ｐ５は、バッテリから電力が供給されて作動し、ＥＣＵ５０から供給される制御信号Ｓ５によって回転数などが制御される。
【００２１】
サーモスタット４は、冷却水温度に応じて開閉する弁によって構成される。基本的には、サーモスタット４は、冷却水温度が高温となったときに開弁する。この場合、サーモスタット４を介して冷却水通路７ｂと冷却水通路７ｃとが接続され、冷却水はラジエータ３を通過することとなる。これにより、冷却水が冷却され、エンジン１のオーバーヒートが抑制される。これに対して、冷却水温度が比較的低温である場合には、サーモスタット４は閉弁している。この場合には、冷却水はラジエータ３を通過しない。これにより、冷却水の温度低下が抑制されるため、エンジン１のオーバークールなどが抑制される。
【００２２】
車間センサ１１は、自車両と自車両の前方を走行する車両との車間距離を検出するセンサである。例えば、車間センサ１１は、ミリ波レーダーなどによって構成され、前方車両からの反射波に基づいて車間距離を検出する。車間センサ１１は、検出した車間距離に対応する検出信号Ｓ１１をＥＣＵ５０に供給する。
【００２３】
ＥＣＵ５０は、図示しないＣＰＵ（Central Processing Unit）、ＲＯＭ（Read Only Memory）及びＲＡＭ（Random Access Memory）などを備える。ＥＣＵ５０は、上記した各種センサから供給される出力などに基づいて、車両内の制御を行う。本実施形態では、ＥＣＵ５０は、主に、車間センサ１１から取得した車間距離に基づいて、エンジン１のオーバーヒートを事前に防止するための制御を実行する。具体的には、ＥＣＵ５０は、車間距離が所定距離以下である場合に、ラジエータ３などにおいて冷却水の放熱量を増加させるための制御を実行する。この場合、ＥＣＵ５０は、電動Ｗ／Ｐ５に対する制御、電動ファン９を作動させる制御、車間距離を調整する制御、及びドライバーに対して情報を提供する制御のうちの少なくとも１つ以上の制御を行う。
【００２４】
詳しくは、ＥＣＵ５０は、電動Ｗ／Ｐ５に対する制御として、冷却水の流量が増加するように制御を行う。また、ＥＣＵ５０は、車間距離を調整する制御として、クルーズコントロールにおいて設定された車間距離を長くする制御を行う。なお、クルーズコントロールとは、ドライバーがアクセル操作などを行わなくても、設定された速度や車間距離などを維持するように車両をコントロールすることをいう。この場合、ＥＣＵ５０が、エンジン１などを制御することによってクルーズコントロールを行う。更に、ＥＣＵ５０は、ドライバーに対して情報を提供する制御として、インフォメーションディスプレイ（不図示）に、ドライバーに対して車間距離を開けさせるための情報（ユーザインフォメーション）を表示する制御を行う。なお、ＥＣＵ５０は、上記したような制御を、車間距離及び冷却水温度の両方に基づいて実行する。
【００２５】
以上のように、ＥＣＵ５０は、本発明におけるエンジンの冷却装置に相当する。具体的には、ＥＣＵ５０は、車間距離取得手段、電動ウォーターポンプ制御手段、車間距離制御手段、及び電動ファン制御手段、並びに情報提供手段として動作する。
【００２６】
［制御方法］
次に、前述したＥＣＵ５０が行う制御方法について具体的に説明する。
【００２７】
本実施形態では、車間センサ１１が検出した車間距離が所定距離以下である場合に、エンジン１のオーバーヒートを事前に防止するための制御を実行する。具体的には、ＥＣＵ５０は、ラジエータ３において冷却水を放熱させる量を増加させるための制御（言い換えると、冷却水の廃熱量を増加させるための制御）を実行する。このような制御を実行する理由は、以下の通りである。自車両と自車両の前方を走行する車両との車間距離が短くなった場合（即ち自車両が前方車両との車間距離を詰めて走行した場合）、ラジエータ３に供給される走行風（車速風）が減少する傾向にある。この場合、車両がある程度の車速で走行していても、ラジエータ３において冷却水の放熱が十分に行われない場合がある（つまり、冷却水の廃熱量が大きく減少してしまう場合がある）。その結果、エンジン１のオーバーヒートが生じてしまう可能性がある。
【００２８】
以上より、本実施形態では、このようなエンジン１のオーバーヒートを適切に防止するために、車間距離が所定距離以下である場合に、ＥＣＵ５０が、ラジエータ３における冷却水の放熱量（以下、「ラジエータ放熱量」とも呼ぶ。）を増加させるための制御を実行する。つまり、本実施形態では、車間距離が所定距離以下である場合に、ラジエータ放熱量を増加させることによって冷却水温度を低下させることによって、オーバーヒートを事前に防止する。
【００２９】
具体的には、ＥＣＵ５０は、ラジエータ放熱量を増加させるための制御として、電動Ｗ／Ｐ５に対する制御、電動ファン９を作動させる制御、車間距離を調整する制御、及びドライバーに対して情報を提供する制御のうちの少なくとも１つ以上の制御を行う。以下で、これらの制御について具体的に説明する。
【００３０】
ＥＣＵ５０は、電動Ｗ／Ｐ５に対する制御として、冷却水の流量が増加するように制御を行う。これにより、ラジエータ放熱量を増加させることができる（つまり、冷却水温度を低下させることができる）。よって、エンジン１のオーバーヒートを適切に防止することが可能となる。また、ＥＣＵ５０は、電動ファン９を作動させる制御を行う。これによっても、ラジエータ放熱量を増加させることができ、エンジン１のオーバーヒートを適切に防止することが可能となる。なお、ラジエータ放熱量を効果的に増加させるために、電動Ｗ／Ｐ５に対する制御及び電動ファン９を作動させる制御の両方を行うことが好ましい。
【００３１】
更に、ＥＣＵ５０は、車間距離を調整する制御として、クルーズコントロールにおいて設定された車間距離を長くする制御を行う。これにより、車間距離を長くすることができ、ラジエータ３への走行風量を確保することが可能となる。したがって、ラジエータ放熱量を増加させることができ、冷却水温度を低下させることができる。よって、エンジン１のオーバーヒートを適切に防止することが可能となる。
【００３２】
更に、ＥＣＵ５０は、ドライバーに対して情報を提供する制御として、インフォメーションディスプレイに、ドライバーに対して車間距離を開けさせるための情報を提供する制御を行う。例えば、ＥＣＵ５０は、インフォメーションディスプレイに、車間距離を開けることを要求する情報や、オーバーヒートの可能性があるため車間を開けるべきとの警告などを表示させる。これにより、ドライバーによって車間距離が開けられるので、ラジエータ３への走行風量を確保することが可能となる。したがって、ラジエータ放熱量を増加させることができ、エンジン１のオーバーヒートを適切に防止することが可能となる。
【００３３】
なお、上記したような制御を、車間距離にのみ基づいて実行することに限定はされず、車間距離及び冷却水温度の両方に基づいて実行しても良い。具体的には、ＥＣＵ５０は、冷却水温度が所定温度以上であり、且つ車間距離が所定距離以下である場合に、ラジエータ放熱量を増加させるための制御を実行することができる。また、他の例では、ＥＣＵ５０は、冷却水温度が上昇しており、且つ車間距離が所定距離以下である場合に、ラジエータ放熱量を増加させるための制御を実行することができる。
【００３４】
以下で、ＥＣＵ５０が行う制御の実施例について具体的に説明する。
【００３５】
（第１実施例）
第１実施例では、ＥＣＵ５０は、電動Ｗ／Ｐ５に対する制御、電動ファン９を作動させる制御、及び車間距離を調整する制御を順に実行する。具体的には、ＥＣＵ５０は、冷却水温度が所定温度以上であり、且つ車間距離が所定距離以下である場合に、まず電動Ｗ／Ｐ５に対する制御を実行する。そして、ＥＣＵ５０は、このように電動Ｗ／Ｐ５を制御した際における冷却水温度が所定温度以上である場合に（つまり冷却水温度が所定温度未満とならない場合）、電動ファン９を作動させる制御を実行する。更に、ＥＣＵ５０は、このように電動Ｗ／Ｐ５及び電動ファン９を制御した際における冷却水温度が所定温度以上である場合に（つまり冷却水温度が所定温度未満とならない場合）、車間距離を調整する制御を実行する。
【００３６】
図２は、第１実施例に係る制御を示すフローチャートである。このフローチャートに示す処理は、ＥＣＵ５０によって繰り返し実行される。
【００３７】
まず、ステップＳ１０１では、ＥＣＵ５０は、エンジン１をスタート（始動）させる。なお、既にエンジン１がスタートしている場合には、ＥＣＵ５０は、ステップＳ１０１の処理を行わないものとする。そして、処理はステップＳ１０２に進む。
【００３８】
ステップＳ１０２では、ＥＣＵ５０は、冷却水温度が所定温度以上であるか否かを判定する。この場合、ＥＣＵ５０は、水温センサ６から取得された冷却水温度（検出信号Ｓ６に相当する）に基づいて判定を行う。具体的には、ステップＳ１０２では、エンジン１のオーバーヒートが生じる可能性があるか否かの判定（言い換えると、オーバーヒートが生じる傾向があるか否かの判定）を行っている。ここで、判定に用いる所定温度は、例えば、エンジン１のオーバーヒートが生じる可能性があるような冷却水温度（実際にオーバーヒートが生じている際の温度よりは低い温度）に設定される。このような所定温度を用いて判定を行うのは、オーバーヒートを事前に防止するためである。
【００３９】
冷却水温度が所定温度未満である場合（ステップＳ１０２；Ｎｏ）、エンジン１のオーバーヒートが生じる可能性がかなり低いため、処理は当該フローを抜ける。一方、冷却水温度が所定温度以上である場合（ステップＳ１０２；Ｙｅｓ）、処理はステップＳ１０３に進む。この場合には、エンジン１のオーバーヒートが生じる可能性があると言える。
【００４０】
ステップＳ１０３では、ＥＣＵ５０は、車間距離が所定距離以下であるか否かを判定する。この場合、ＥＣＵ５０は、車間センサ１１から取得した車間距離（検出信号Ｓ１１に相当する）に基づいて判定を行う。具体的には、ステップＳ１０３では、ラジエータ３への走行風量が確保されておらず、ラジエータ３において冷却水を適切に放熱させることができないような状況にあるか否かの判定を行っている。ここで、判定に用いる所定距離は、例えば、ラジエータ３への走行風量が減少することによって、ラジエータ３において冷却水を適切に放熱させることができないような車間距離に設定される。
【００４１】
車間距離が所定距離より大きい場合（ステップＳ１０３；Ｎｏ）、処理は当該フローを抜ける。この場合には、ラジエータ３への走行風量が確保されているため、ラジエータ３において冷却水を適切に放熱させることができると言える。つまり、冷却水温度を適切に低下させることができると言える。よって、エンジン１のオーバーヒートが生じる可能性が低いと考えられるので、電動Ｗ／Ｐ５に対する制御などを行わずに、処理は当該フローを抜ける。
【００４２】
一方、車間距離が所定距離以下である場合（ステップＳ１０３；Ｙｅｓ）、処理はステップＳ１０４に進む。この場合には、車間距離が詰まっているため、ラジエータ３への走行風量が確保されていない状況にあると言える。そのため、ラジエータ３において冷却水を適切に放熱させることができず（つまり、冷却水温度を適切に低下させることができず）、エンジン１のオーバーヒートが生じる可能性があると言える。したがって、ステップＳ１０４では、ＥＣＵ５０は、冷却水の流量が増加するように電動Ｗ／Ｐ５を制御する。具体的には、ＥＣＵ５０は、電動Ｗ／Ｐ５に対して制御信号Ｓ５を供給することによって、電動Ｗ／Ｐ５の回転数を上昇させる制御を行う。例えば、ＥＣＵ５０は、電動Ｗ／Ｐ５の回転数を適合値よりも上昇させる。これにより、ラジエータ放熱量を増加させることができ、冷却水温度を低下させることが可能となる。以上の処理が終了すると、処理はステップＳ１０５に進む。
【００４３】
ステップＳ１０５では、ＥＣＵ５０は、再度、冷却水温度（水温センサ６から取得された温度）が所定温度以上であるか否かを判定する。つまり、ステップＳ１０５では、エンジン１のオーバーヒートが生じる可能性があるか否かの判定を行う。言い換えると、電動Ｗ／Ｐ５を制御したことにより冷却水温度が所定温度未満となり、オーバーヒートが生じる可能性が解消されたか否かを判定する。なお、ステップＳ１０５で用いる所定温度は、ステップＳ１０２で用いた所定温度と同一のものを用いる。
【００４４】
冷却水温度が所定温度未満である場合（ステップＳ１０５；Ｎｏ）、エンジン１のオーバーヒートが生じる可能性がかなり低いため、処理は当該フローを抜ける。一方、冷却水温度が所定温度以上である場合（ステップＳ１０５；Ｙｅｓ）、処理はステップＳ１０６に進む。この場合には、エンジン１のオーバーヒートが生じる可能性があると言える。よって、ステップＳ１０６では、ＥＣＵ５０は、電動ファン９を作動させる。この場合、ＥＣＵ５０は、電動ファン９に対して制御信号Ｓ９を供給する。これにより、ラジエータ放熱量を増加させることができ、冷却水温度を低下させることが可能となる。以上の処理が終了すると、処理はステップＳ１０７に進む。
【００４５】
ステップＳ１０７では、ＥＣＵ５０は、再度、冷却水温度（水温センサ６から取得された温度）が所定温度以上であるか否かを判定する。つまり、ステップＳ１０７では、エンジン１のオーバーヒートが生じる可能性があるか否かの判定を行う。言い換えると、電動Ｗ／Ｐ５及び電動ファン９を制御したことにより冷却水温度が所定温度未満となり、オーバーヒートが生じる可能性が解消されたか否かを判定する。なお、ステップＳ１０７で用いる所定温度は、ステップＳ１０２で用いた所定温度と同一のものを用いる。
【００４６】
冷却水温度が所定温度未満である場合（ステップＳ１０７；Ｎｏ）、エンジン１のオーバーヒートが生じる可能性がかなり低いため、処理は当該フローを抜ける。一方、冷却水温度が所定温度以上である場合（ステップＳ１０７；Ｙｅｓ）、処理はステップＳ１０８に進む。この場合には、エンジン１のオーバーヒートが生じる可能性があると言える。よって、ステップＳ１０８では、ＥＣＵ５０は、クルーズコントロールにおいて設定された車間距離を長くする制御を行う。これにより、車間距離を長くすることができ、ラジエータ３への走行風量を確保することが可能となる。したがって、冷却水におけるラジエータ放熱量を増加させることが可能となる。以上の処理が終了すると、処理は当該フローを抜ける。
【００４７】
このように第１実施例に係る制御では、車間距離及び冷却水温度に基づいて判定を行い、これに応じて制御を行うことにより、冷却水におけるラジエータ放熱量を適切に増加させることができる。したがって、エンジン１のオーバーヒートを事前に防止することが可能となる。
【００４８】
（第２実施例）
次に、第２実施例に係る制御方法について具体的に説明する。第２実施例では、ＥＣＵ５０は、電動Ｗ／Ｐ５に対する制御、電動ファン９を作動させる制御、及びドライバーに対して情報を提供する制御を順に行う。つまり、第２実施例に係る制御は、車間距離を調整する制御の代わりに、ドライバーに対して情報を提供する制御を行う点で、第１実施例に係る制御とは異なる。
【００４９】
図３は、第２実施例に係る制御を示すフローチャートである。このフローチャートに示す処理も、ＥＣＵ５０によって繰り返し実行される。なお、ステップＳ２０１〜Ｓ２０７の処理は、前述したステップＳ１０１〜Ｓ１０７の処理（図２参照）と同一であるため、その説明を省略する。ここでは、ステップＳ２０８の処理を説明する。
【００５０】
ステップＳ２０８では、ＥＣＵ５０は、エンジン１のオーバーヒートが生じる可能性があるため、ドライバーに対して情報を提供する制御を行う。この場合、ＥＣＵ５０は、インフォメーションディスプレイに、ドライバーに対して車間距離を開けさせるための情報を表示する制御を行う。例えば、ＥＣＵ５０は、車間距離を開けることを要求する情報や、オーバーヒートの可能性があるため車間を開けるべきとの警告などを表示させる。これにより、ドライバーによって車間距離が開けられるので、ラジエータ３への走行風量を確保することが可能となる。したがって、冷却水におけるラジエータ放熱量を増加させることが可能となる。以上の処理が終了すると、処理は当該フローを抜ける。
【００５１】
第２実施例に係る制御によっても、冷却水におけるラジエータ放熱量を適切に増加させることができ、エンジン１のオーバーヒートを事前に防止することが可能となる。
【００５２】
（変形例）
上記した実施例では、電動Ｗ／Ｐ５に対する制御、電動ファン９を作動させる制御、車間距離を調整する制御若しくはドライバーに対して情報を提供する制御を順に実行する例を示したが、これに限定はされない。これらの制御のうちの少なくとも１つ以上の制御を行えば良く、また、これらの制御を様々に組み合わせた制御を行うことができる。一例としては、冷却水温度が所定温度以上である場合に、まず最初に、車間距離を調整する制御を実行することができる。この場合には、冷却水の流量を増加させることなく、エンジン１のオーバーヒートを抑制することが可能となる。そのため、電動Ｗ／Ｐ５のポンプ駆動力の負担を低減することができる。また、他の例では、車間距離を調整する制御、及びドライバーに対して情報を提供する制御の両方を実行することができる。
【００５３】
また、上記では、冷却水温度及び車間距離に基づいて判定を行い、これに応じて制御を行う実施例を示したが、これに限定はされない。他の例では、車間距離のみに基づいて判定を行って（つまり、車間距離が所定距離以上であるか否かの判定を行って）、前述したような制御を実行することができる。
【００５４】
更に、上記では、冷却水温度が所定温度以上であるか否かを判定して制御を行う実施例を示したが、これに限定はされない。他の例では、冷却水温度が所定温度以上であるか否かを判定する代わりに、冷却水温度が上昇しているか否かを判定しても良い。つまり、冷却水温度が上昇している場合（例えば、冷却水温度の上昇が所定以上である場合）に、電動Ｗ／Ｐ５に対する制御、電動ファン９を作動させる制御、車間距離を調整する制御、及びドライバーに対して情報を提供する制御のうちの少なくとも１つ以上の制御を実行することができる。
【図面の簡単な説明】
【００５５】
【図１】本実施形態に係る冷却系システムの概略構成を示す図である。
【図２】第１実施例に係る制御を示すフローチャートである。
【図３】第２実施例に係る制御を示すフローチャートである。
【符号の説明】
【００５６】
１  エンジン
３  ラジエータ
４  サーモスタット
５  電動ウォーターポンプ（電動Ｗ／Ｐ）
６  水温センサ
７  冷却水通路
９  電動ファン
１１  車間センサ
５０  ＥＣＵ
１００  冷却系システム
【図１】
2008196305.tif 000003
【図２】
2008196305.tif 000004
【図３】
2008196305.tif 000005